(57)【要約】【課題】検索エンジンによるヒット率の向上ができる仮想モールシステムを提供する。【解決手段】ショップサイトが格納されたショップ用ウェブサーバ６と、ショップサイトへのポータルサイトが格納されたポータル用ウェブサーバ８とを備え、上記ショップ用ウェブサーバ６には、１つのショップサイトを格納するショップサイト格納部２０がショップごとに複数設けられ、上記各ショップサイト格納部２０には、当該ショップのショップ詳細情報ページ４５と、当該ショップが取り扱う商品詳細情報ページ４６がそれぞれ静的ファイルとして格納され、上記ショップ詳細情報ページ４５および商品詳細情報ページ４６は、端末装置５に表示される当該ショップサイトにおけるショップホームページ４０に設けられたリンク等を介して端末装置５に表示され、ポータルサイトのポータルトップページ４２に設けられたリンク等を介して端末装置５に表示される。【選択図】図２
2007102521.tif 000002
【特許請求の範囲】
【請求項１】
ショップサイトが格納されたショップ用ウェブサーバと、ショップサイトへのポータルサイトが格納されたポータル用ウェブサーバとを備え、
上記ショップ用ウェブサーバには、１つのショップサイトを格納するショップサイト格納部がショップごとに複数設けられ、上記各ショップサイト格納部には、当該ショップの詳細情報が掲載されたショップ詳細情報ページと、当該ショップが取り扱う商品の詳細情報が掲載された商品詳細情報ページが、それぞれ静的ファイルとして格納され、
上記ショップ詳細情報ページおよび商品詳細情報ページは、端末装置に表示される当該ショップサイトにおけるホームページに設けられたリンクおよび／または検索手段を介して端末装置に表示されるように構成されるとともに、上記ポータルサイトのポータルトップページに設けられたリンクおよび／または検索手段を介して上記端末装置に表示されるように構成されていることを特徴とする電子商取引システム。
【請求項２】
上記ポータル用ウェブサーバは、上記ショップ用ウェブサーバにショップサイトが格納されたショップのうち当該ポータルサイトに登録したショップのショップ一覧情報が掲載されるショップ一覧ページと、当該ポータルサイトに登録したショップが取り扱う商品の一覧情報が掲載される商品一覧ページとが格納され、
上記ショップ一覧ページおよび商品一覧ページは、上記ポータルサイトのポータルトップページに設けられたリンクおよび／または検索手段を介して上記端末装置に表示されるように構成され、
上記ショップ詳細情報ページは、上記ショップ一覧ページに設けられたリンクを介して上記端末装置に表示されるように構成され、上記商品詳細情報ページは、上記商品一覧ページに設けられたリンクを介して上記端末装置に表示されるように構成されている請求項１記載の電子商取引システム。
【請求項３】
上記ポータル用ウェブサーバには、ショップデータが格納されたショップデータ格納部と、登録されたショップにおいて取り扱う商品に関するデータが格納された商品データ格納部と、上記ショップデータ格納部および商品データ格納部に記録されたデータをデータベース検索するデータベース検索手段とを含むポータル用データベースサーバが付設され、
上記ポータル用ウェブサーバは、上記ショップデータ格納部および／または商品データ格納部をデータベース検索手段でデータベース検索することにより抽出されたデータに基づいて上記ショップ一覧ページおよび／または商品一覧ページを動的ファイルとして自動生成してキャッシュするウェブページ生成手段を備えている請求項２記載の電子商取引システム。
【請求項４】
ショップ用ウェブサーバには、ショップに関する情報が記録されたショップマスタと、ショップにおいて取り扱う商品に関する情報が記録された商品マスタと、上記ショップマスタおよび商品マスタに記録された情報をデータベース検索するデータベース検索手段とを含むショップ用データベースサーバが付設され、
上記ショップ用ウェブサーバは、上記ショップマスタおよび／または商品マスタをデータベース検索手段でデータベース検索することにより抽出された情報に基づいて上記ショップ詳細情報ページおよび／または商品詳細情報ページを静的ファイルとして自動生成し、ＵＲＬとなるファイル名を付与してショップサイト格納部に格納するウェブページ生成手段を備えている請求項１〜３のいずれか一項に記載の電子商取引システム。
【請求項５】
上記ウェブページ生成手段は、さらに、上記ショップ詳細情報ページに設けられたリンクへの操作入力をトリガーとして、上記商品マスタをデータベース検索手段でデータベース検索することにより抽出された情報に基づいて、当該ショップにおける取扱い商品の一覧を示す取扱い商品一覧ページを動的ファイルとして自動生成してキャッシュし、
上記取扱い商品一覧ページは、上記商品詳細情報ページに対するリンクが設けられるとともに、ショップ詳細情報ページに設けられたリンクを介して端末装置に表示されるように構成されている請求項４記載の電子商取引システム。
【請求項６】
ショップサイトが格納されたショップ用ウェブサーバと、ショップサイトへのポータルサイトが格納されたポータル用ウェブサーバとを準備し、
上記ショップ用ウェブサーバには、１つのショップサイトを格納するショップサイト格納部がショップごとに複数設けられ、上記各ショップサイト格納部には、当該ショップの詳細情報が掲載されたショップ詳細情報ページと、当該ショップが取り扱う商品の詳細情報が掲載された商品詳細情報ページを、それぞれ静的ファイルとして格納し、
上記ショップ詳細情報ページおよび商品詳細情報ページを、端末装置に表示される当該ショップサイトにおけるホームページに設けられたリンクおよび／または検索手段を介して端末装置に表示されるように構成するとともに、上記ポータルサイトのポータルトップページに設けられたリンクおよび／または検索手段を介して上記端末装置に表示されるように構成することを特徴とする電子商取引方法。
【請求項７】
ショップサイトが格納されたショップ用ウェブサーバと、ショップサイトへのポータルサイトが格納されたポータル用ウェブサーバとを準備し、
上記ショップ用ウェブサーバには、１つのショップサイトを格納するショップサイト格納部がショップごとに複数設けられ、
上記各ショップサイト格納部には、当該ショップの詳細情報が掲載されたショップ詳細情報ページと、当該ショップが取り扱う商品の詳細情報が掲載された商品詳細情報ページを、それぞれ静的ファイルとして格納するステップと、
上記ショップ詳細情報ページおよび商品詳細情報ページを、端末装置に表示される当該ショップサイトにおけるホームページに設けられたリンクおよび／または検索手段を介して端末装置に表示されるように構成するとともに、上記ポータルサイトのポータルトップページに設けられたリンクおよび／または検索手段を介して上記端末装置に表示されるように構成するステップとをコンピュータ装置に実行させることを特徴とする電子商取引プログラム。
【発明の詳細な説明】
【技術分野】
【０００１】
本発明は、サーチエンジンによるウェブページの検索ヒット率を容易に向上させることができる電子商取引システムおよび方法並びにプログラムに関する。
【背景技術】
【０００２】
従来から、インターネットにおけるオンラインショッピングシステム等については、各種のホームページやウェブサイトで運営されてきた。最近では、多数のネットショップのホームページを集めたインターネットショッピングモールとしてのポータルサイトも数多く運営され、仮想モールシステムとして特許出願されている（例えば下記の特許文献１〜３）。
【０００３】
上記インターネットショッピングモールは、購買意欲のある顧客からのアクセスが集中するポータルサイトである仮想モール内にオンラインショッピングサイトであるホームページを開設することにより、比較的容易に集客効果を期待できるものである。
【０００４】
一方、近年では、単にショッピングモール内にショッピングサイトを設置しているだけでは集客数にも頭打ちがあるので、集客数を伸ばすため、各ショッピングサイトにおいてＳＥＯ（Search Engine Optimization；サーチエンジン最適化）の対策が検討されるようになっており、ＳＥＯ対策を考慮したオンラインショッピングサイト作成支援方法も考案されている（例えば下記の特許文献４）。
【特許文献１】特開２０００−１１３０３１号公報
【特許文献２】特開２００２−３１２６１５号公報
【特許文献３】特開２００４−３１０３９３号公報
【特許文献４】特開２００５−２０２７８３号公報
【発明の開示】
【発明が解決しようとする課題】
【０００５】
上記ようなインターネットショッピングモールは、端末装置をポータルサイトに接続してトップページを表示し、商品カテゴリ一覧からの選択や商品検索により商品一覧を表示し、さらに商品一覧から所望の商品を選んで商品詳細情報を表示し、購入を決定したときに購入処理に移行することが行われる。また、ショップカテゴリからの選択やショップ検索によりショップ一覧を表示し、さらにショップ一覧から所望のショップを選んでショップ詳細情報を表示し、購入を決定したときに購入処理に移行することが行われる。
【０００６】
ところが、従来のインターネットショッピングモールは、ショッピング用の業務システムをＡＳＰ（Application Service Provider）により提供していることから、ショッピングモールに付与された１つのＵＲＬ（Uniform Resource Locators）において、商品詳細情報やショップ詳細情報を表示するようになっている。具体的には、商品の詳細情報を掲載した商品詳細ページやショップの詳細情報を掲載したショップ詳細ページは、ショッピングモールに付与されたＵＲＬに引数を付加して表示することが行われている。例えば、ショッピングモールのＵＲＬが「http://www.shopping.com」のときに商品詳細ページやショップ詳細ページを「http://www.shopping.com?0001」のように、「?」以降の「0001」のような引数を付加して動的ファイルとして表示する。このように、引数を用いることにより、１つのＵＲＬで多数の商品詳細情報やショップ詳細情報を表示することができるので、インターネットショッピングモールとして運用が容易であるという利点がある。
【０００７】
しかしながら、上記のような引数を使用した表示方法では、商品詳細情報ページやショップ詳細情報ページが検索エンジンによって極めてヒットし難くなるため、自己の商品詳細情報やショップの詳細情報を多くのインターネットユーザに閲覧させたいインターネットショップの運営者にとっては、ＳＥＯ対策上必ずしも好ましいものではなかった。
【０００８】
本発明は、このような事情に鑑みなされたもので、検索エンジンによるウェブページの検索ヒット率を容易に向上させることができる電子商取引システムおよび方法並びにプログラムを提供することを目的とする。
【課題を解決するための手段】
【０００９】
上記の目的を達成するために、本発明の電子商取引システムは、ショップサイトが格納されたショップ用ウェブサーバと、ショップサイトへのポータルサイトが格納されたポータル用ウェブサーバとを備え、
上記ショップ用ウェブサーバには、１つのショップサイトを格納するショップサイト格納部がショップごとに複数設けられ、上記各ショップサイト格納部には、当該ショップの詳細情報が掲載されたショップ詳細情報ページと、当該ショップが取り扱う商品の詳細情報が掲載された商品詳細情報ページが、それぞれ静的ファイルとして格納され、
上記ショップ詳細情報ページおよび商品詳細情報ページは、端末装置に表示される当該ショップサイトにおけるホームページに設けられたリンクおよび／または検索手段を介して端末装置に表示されるように構成されるとともに、上記ポータルサイトのポータルトップページに設けられたリンクおよび／または検索手段を介して上記端末装置に表示されるように構成されていることを要旨とする。
【００１０】
また、上記の目的を達成するために、本発明の電子商取引方法は、ショップサイトが格納されたショップ用ウェブサーバと、ショップサイトへのポータルサイトが格納されたポータル用ウェブサーバとを準備し、
上記ショップ用ウェブサーバには、１つのショップサイトを格納するショップサイト格納部がショップごとに複数設けられ、上記各ショップサイト格納部には、当該ショップの詳細情報が掲載されたショップ詳細情報ページと、当該ショップが取り扱う商品の詳細情報が掲載された商品詳細情報ページを、それぞれ静的ファイルとして格納し、
上記ショップ詳細情報ページおよび商品詳細情報ページを、端末装置に表示される当該ショップサイトにおけるホームページに設けられたリンクおよび／または検索手段を介して端末装置に表示されるように構成するとともに、上記ポータルサイトのポータルトップページに設けられたリンクおよび／または検索手段を介して上記端末装置に表示されるように構成することを要旨とする。
【００１１】
また、上記の目的を達成するために、本発明の電子商取引プログラムは、ショップサイトが格納されたショップ用ウェブサーバと、ショップサイトへのポータルサイトが格納されたポータル用ウェブサーバとを準備し、
上記ショップ用ウェブサーバには、１つのショップサイトを格納するショップサイト格納部がショップごとに複数設けられ、
上記各ショップサイト格納部には、当該ショップの詳細情報が掲載されたショップ詳細情報ページと、当該ショップが取り扱う商品の詳細情報が掲載された商品詳細情報ページを、それぞれ静的ファイルとして格納するステップと、
上記ショップ詳細情報ページおよび商品詳細情報ページを、端末装置に表示される当該ショップサイトにおけるホームページに設けられたリンクおよび／または検索手段を介して端末装置に表示されるように構成するとともに、上記ポータルサイトのポータルトップページに設けられたリンクおよび／または検索手段を介して上記端末装置に表示されるように構成するステップとをコンピュータ装置に実行させることを要旨とする。
【発明の効果】
【００１２】
すなわち、本発明によれば、ショップ詳細情報ページおよび商品詳細情報ページは、静的ファイルとしてショップサイト格納部に格納されるため、ウェブ上の検索エンジンによる検索対象となって、検索エンジンでヒットする確立が高くなって、端末装置からの閲覧機会を大幅に増加して集客効率が向上できる。また、上記ショップ詳細情報ページおよび商品詳細情報ページは、端末装置に表示される当該ショップサイトにおけるホームページに設けられたリンクおよび／または検索手段を介して端末装置に表示されるように構成するとともに、上記ポータルサイトのポータルトップページに設けられたリンクおよび／または検索手段を介して上記端末装置に表示されることから、ショップとしては、自身のホームページからの集客に加えて、ポータルサイトからの集客数増加が見込めるうえ、検索エンジンでのヒット率が向上することによる集客数の向上も見込め、大幅な集客数の向上を図ることができる。また、上記ショップ用ウェブサーバには、１つのショップサイトを格納するショップサイト格納部がショップごとに複数設けられ、それらのショップをポータルサイトのポータルトップページにリンクおよび／または検索手段を介して繋げることから、ポータルサイト自体のマス効果を向上させて集客効果を期待できる。
【００１３】
本発明において、上記ポータル用ウェブサーバは、上記ショップ用ウェブサーバにショップサイトが格納されたショップのうち当該ポータルサイトに登録したショップのショップ一覧情報が掲載されるショップ一覧ページと、当該ポータルサイトに登録したショップが取り扱う商品の一覧情報が掲載される商品一覧ページとが格納され、
上記ショップ一覧ページおよび商品一覧ページは、上記ポータルサイトのポータルトップページに設けられたリンクおよび／または検索手段を介して上記端末装置に表示されるように構成され、
上記ショップ詳細情報ページは、上記ショップ一覧ページに設けられたリンクを介して上記端末装置に表示されるように構成され、上記商品詳細情報ページは、上記商品一覧ページに設けられたリンクを介して上記端末装置に表示されるように構成されている場合には、
ショップ詳細情報ページは、ポータルトップページからショップ一覧ページを介して端末装置に表示され、商品詳細情報ページは、ポータルトップページから商品一覧ページを介して端末装置に表示され、ポータルトップページからスムーズにショップ詳細情報ページや商品詳細情報ページに誘導し、各ショップではポータルサイトからの集客数増加が見込め、大幅な集客数の向上を図ることができる。
【００１４】
本発明において、上記ポータル用ウェブサーバには、ショップデータが格納されたショップデータ格納部と、登録されたショップにおいて取り扱う商品に関するデータが格納された商品データ格納部と、上記ショップデータ格納部および商品データ格納部に記録されたデータをデータベース検索するデータベース検索手段とを含むポータル用データベースサーバが付設され、
上記ポータル用ウェブサーバは、上記ショップデータ格納部および／または商品データ格納部をデータベース検索手段でデータベース検索することにより抽出されたデータに基づいて上記ショップ一覧ページおよび／または商品一覧ページを動的ファイルとして自動生成してキャッシュするウェブページ生成手段を備えている場合には、
ポータルサイトに登録するショップが増加したとしても、ショップデータ格納部のデータを追加するだけでショップ一覧ページが自動生成されるため、そのつど煩雑なウェブページ作成作業を行わなくても、ごく軽微な作業だけでショップ一覧ページをつくることができる。
また、各ショップで取り扱う商品数が増加したとしても、商品データ格納部のデータを追加するだけで商品一覧ページが自動生成されるため、そのつど煩雑なウェブページ作成作業を行わなくても、ごく軽微な作業だけで商品詳細情報ページをつくることができる。
しかも、上記商品一覧やショップ一覧は、商品やショップの抽出条件その他の条件によって必ずしも一覧表示すべき内容が一定しないため、静的ファイルとして格納せずに動的ファイルとしてキャッシュし、システムのファイル格納領域を節約することができる。
【００１５】
本発明において、ショップ用ウェブサーバには、ショップに関する情報が記録されたショップマスタと、ショップにおいて取り扱う商品に関する情報が記録された商品マスタと、上記ショップマスタおよび商品マスタに記録された情報をデータベース検索するデータベース検索手段とを含むショップ用データベースサーバが付設され、
上記ショップ用ウェブサーバは、上記ショップマスタおよび／または商品マスタをデータベース検索手段でデータベース検索することにより抽出された情報に基づいて上記ショップ詳細情報ページおよび／または商品詳細情報ページを静的ファイルとして自動生成し、ＵＲＬとなるファイル名を付与してショップサイト格納部に格納するウェブページ生成手段を備えている場合には、
ショップで取り扱う商品数が増加したとしても、商品マスタのデータを追加するだけで商品詳細情報ページが自動生成されるため、そのつど煩雑なウェブページ作成作業を行わなくても、ごく軽微な作業だけで商品詳細情報ページをつくることができる。
また、ショップの情報に変更があったとしても、ショップマスタのデータを更新するだけでショップ詳細情報ページが自動生成されるため、そのつど煩雑なウェブページ作成作業を行わなくても、ごく軽微な作業だけでショップ詳細情報ページをつくることができる。
【００１６】
本発明において、上記ウェブページ生成手段は、さらに、上記ショップ詳細情報ページに設けられたリンクへの操作入力をトリガーとして、上記商品マスタをデータベース検索手段でデータベース検索することにより抽出された情報に基づいて、当該ショップにおける取扱い商品の一覧を示す取扱い商品一覧ページを動的ファイルとして自動生成してキャッシュし、
上記取扱い商品一覧ページは、上記商品詳細情報ページに対するリンクが設けられるとともに、ショップ詳細情報ページに設けられたリンクを介して端末装置に表示されるように構成されている場合には、
上述したように静的ファイルとしてショップサイト格納部に格納されたショップ詳細情報ページと商品詳細情報ページとを、動的ファイルである取扱い商品一覧ページを介してつなげることにより、端末装置を操作する購入者は、ショップ詳細の情報から購入を希望する商品の情報にたどりつくことができる。このようにすることにより、検索エンジン等からショップ詳細情報ページに入ってきた購入者は、当該ショップ詳細情報から容易に商品の情報を入手して購入処理まで行うことができる。
さらに、上記ショップ別の取扱い商品の一覧は、商品の抽出条件その他の条件によって必ずしも一覧表示すべき商品数等が一定しないため、静的ファイルとして格納せずに動的ファイルとしてキャッシュし、システムのファイル格納領域を節約することができる。取り扱い商品の変更や追加があったとしても、商品マスタのデータを追加するだけで、そのつど生成される動的ファイルとしての取扱い商品一覧ページが自動生成されるため、そのつど煩雑なウェブページ作成作業を行わなくても済む。
【発明を実施するための最良の形態】
【００１７】
以下、本発明を実施するための最良の形態について説明する。
【００１８】
図１は、本発明の一実施の形態の電子商取引システムを含むネットワーク構成を示す図である。このシステムは、本発明の電子商取引プログラムを実行して本発明の電子商取引方法を実現し、本発明の電子商取引システムとして機能するものであり、ショップ用ウェブサーバ６と、上記ショップ用ウェブサーバ６に付設されたショップ用データベースサーバ７とを有するショップサーバシステム１と、ポータル用ウェブサーバ８と、このポータル用ウェブサーバ８に付設されたポータル用データベースサーバ９とを有するポータルサーバシステム３とを備えて構成されている。この電子商取引システムは、インターネット２に接続された端末装置５にインターネット２経由で商品購入処理ページを表示し、当該商品購入処理ページにおいて商品の購入を実現するものである。
【００１９】
上記ショップサーバシステム１は、インターネット２に接続され、同じくインターネット２に接続された端末装置５においてウェブページを閲覧可能とするショップサイトが格納されたショップ用ウェブサーバ６と、上記ショップ用ウェブサーバ６におけるウェブページを構築するためのデータを提供するためのショップ用データベースサーバ７とを備えて構成されている。
【００２０】
上記ショップサーバシステム１を構成するショップ用ウェブサーバ６およびショップ用データベースサーバ７は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２１】
上記ポータルサーバシステム３は、インターネット２に接続され、同じくインターネット２に接続された端末装置５においてウェブページを閲覧可能とするショップサイトへのポータルサイトが格納されたポータル用ウェブサーバ８と、上記ポータル用ウェブサーバ８におけるウェブページを構築するためのデータを提供するためのポータル用データベースサーバ９とを備えて構成されている。
【００２２】
上記ポータルサーバシステム３を構成するポータル用ウェブサーバ８およびポータル用データベースサーバ９は、それぞれ通信インターフェースや大容量データ記憶装置などを備えたシステムであり、中央処理装置がハードディスク装置等の外部記憶装置に記録されたプログラムを読み出し、そのプログラムに従って処理を実行することにより後に述べるような種々の機能を実現する。
【００２３】
上記ショップサーバシステム１およびポータルサーバシステム３は、情報通信ネットワーク（本実施形態ではインターネット２）に接続されている。このインターネット２には、ユーザが使用する端末装置５が接続されている。上記各端末装置５は、例えばパソコン等のコンピュータ装置である。
【００２４】
４はインターネット２すなわちウェブ上に設けられた検索エンジンであり、インターネット２上の膨大なホームページの中から、キーワードに合致するのもを検索するシステムである。ウェブページ上にある全文を対象として検索するタイプのエンジンと、ページのタイトルやコメントを手がかりにして検索するタイプのエンジンがある。一般に、検索エンジンでは、ウェブ上に存在する静的ファイルからなるホームページを定期的に巡回してキーワードを取得し、所定のキーワード入力により、キーワードに合致するホームページのＵＲＬを抽出することが行われている。
【００２５】
上記ショップ用データベースサーバ７は、本発明の電子商取引システムにおける各ショップサイトが対象とする種々のデータが記録された複数のテーブルが格納され、各テーブルをデータベース検索することにより、必要なデータの抽出を行って、ショップ用ウェブサーバ６に対して供給するようになっている。
【００２６】
また、上記ポータル用データベースサーバ９は、本発明の電子商取引システムにおけるポータルサイトが対象とする種々のデータが記録された複数のテーブルが格納され、各テーブルをデータベース検索することにより、必要なデータの抽出を行って、ポータル用ウェブサーバ８に対して供給するようになっている。
【００２７】
上記ショップ用ウェブサーバ６およびポータル用ウェブサーバ８は、インターネット２を介してアクセスしてきた各端末装置５と、例えばＨＴＴＰ（HyperText Transfer Protocol）等のプロトコルに従ってデータ通信を行うことでＷＥＢ配信サーバとして機能する。すなわち、ショップ用ウェブサーバ６は、各端末装置５からの要求に応じて、ＨＴＭＬ（HyperText Markup Language）等のデジタル文書記述言語により記述された文書や画像を含むデータであるウェブページを当該端末装置５へ向けて送信する。
【００２８】
図２は、本発明の電子商取引システムにおけるウェブサイトの構成の一例を示す図である。
【００２９】
上記ショップサーバシステム１のショップ用ウェブサーバ６には、１つのショップサイトを格納するショップサイト格納部２０がショップごとに複数設けられている。
【００３０】
上記ショップサイト格納部２０には、当該ショップサイトのショップホームページ４０、当該ショップの詳細情報が掲載されたショップ詳細情報ページ４５、当該ショップにおける取扱い商品の一覧を示すショップ毎の取扱商品一覧ページ４７、当該ショップが取り扱う商品の詳細情報が掲載された商品詳細情報ページ４６、顧客が購入処理を行う購入処理ページ４８が格納されている。
【００３１】
ショップホームページ４０、ショップ詳細情報ページ４５、取扱商品一覧ページ４７、商品詳細情報ページ４６、購入処理ページ４８は、それぞれ顧客が端末装置５のブラウザにおいて、当該ショップサイトに割り当てられたサブドメインを含む固有のＵＲＬを入力することにより、端末装置５の表示装置に表示しうるものである。そして、端末装置５の入力装置において所定のデータ入力や入力操作を行うことにより、サイト内検索、リンク先ページの表示、一覧表示、詳細表示、購入処理等を行いうるようになっている。
【００３２】
上記ショップホームページ４０、ショップ詳細情報ページ４５、商品詳細情報ページ４６は、それぞれＨＴＭＬ文書等の静的ファイルとして格納されている。一方、上記取扱商品一覧ページ４７および購入処理ページ４８は、所定のデータをテンプレートデータにはめ込んで自動生成された動的ファイルとしてキャッシュされたものである。
【００３３】
上記ショップ詳細情報ページ４５および商品詳細情報ページ４６は、端末装置５に表示される当該ショップサイトにおけるショップホームページ４０に設けられたリンクおよび／または検索手段を介して端末装置５に表示されるように構成されている。また、上記取扱商品一覧ページ４７は、上記商品詳細情報ページ４６に対するリンクが設けられるとともに、ショップ詳細情報ページ４５に設けられたリンクを介して端末装置５に表示されるように構成されている。
【００３４】
すなわち、この例では、ショップホームページ４０に設けられたリンクを介してショップホームページ４０からショップ詳細情報ページ４５を表示しうるようになっている。このショップ詳細情報ページ４５は、ショップの詳細情報が掲載されたページである。
【００３５】
また、上記ショップホームページ４０に設けられたリンクおよび／または検索手段を介して、ショップホームページ４０から取扱商品一覧ページ４７を表示しうるようになっている。また、ショップ詳細情報ページ４５に設けられたリンクおよび／または検索手段を介してショップ詳細情報ページ４５から取扱商品一覧ページ４７を表示しうるようになっている。この取扱商品一覧ページ４７は、当該ショップで扱う全商品の一覧を表示することもできるし、所定の検索条件で絞り込まれた商品の一覧を表示したり、カテゴリー分類されたカテゴリーに属する商品の一覧を表示したりすることもできる。
【００３６】
さらに、上記ショップホームページ４０に設けられたリンクおよび／または検索手段を介して、ショップホームページ４０から商品詳細情報ページ４６を表示しうるようになっている。また、取扱商品一覧ページ４７に設けられたリンクを介して商品詳細情報ページ４６を表示するようになっている。上記商品詳細情報ページ４６は、商品ごとに１ページ（すなわち１ファイル）ずつ設けることが出来る。
【００３７】
上記商品詳細情報ページ４６は、上記取扱商品一覧ページ４７を見た顧客がもっと詳しい情報を知りたいときに表示するものである。そして、商品詳細情報ページ４６に設けられたリンクを介して購入処理ページ４８を表示することができる。この購入処理ページ４８は、上記商品詳細情報ページ４６を見た顧客が実際にその商品を購入するための処理を行うページであり、具体的には、買い物かご機能、決済情報入力機能、配送先入力機能等の購入処理に必要な機能を実現するものである。
【００３８】
上記ポータルサーバシステム３のポータル用ウェブサーバ８には、ポータルサイトとして、当該ポータルサイトのポータルトップページ４２、当該ポータルサイトに登録しているショップの一覧を表示するショップ一覧ページ４３、当該ポータルサイトに登録している各ショップにおいて扱われる商品の一覧を表示する商品一覧ページ４４が格納されている。
【００３９】
このように、上記ポータル用ウェブサーバ８に存在するポータルサイトは、ウェブショップの実体としてのショップの詳細情報やショップで取り扱う商品の詳細情報、購入処理を行うページが存在するのではなく、ポータルトップページ４２と、このポータルトップページ４２にリンクおよび／または検索により端末装置５に表示されるショップ一覧ページ４３および商品一覧ページ４４が存在するだけである。そして、ショップ一覧ページ４３はショップサイトのショップ詳細情報ページ４５にリンクされ、商品一覧ページ４４はショップサイトの商品詳細情報ページ４６にリンクされている。
【００４０】
すなわち、上記ポータルサイトは、いわゆる仮想モールとしての機能を有するのではなく、ショップサイトへの入口として機能するものである。
【００４１】
上記ショップ一覧ページ４３は、上記ショップ用ウェブサーバ６にショップサイトが格納されたショップのうち当該ポータルサイトに登録したショップのショップ一覧情報が掲載される。上記商品一覧ページ４４は、当該ポータルサイトに登録したショップが取り扱う商品の一覧情報が掲載される。そして、上記ショップ一覧ページ４３および商品一覧ページ４４は、上記ポータルサイトのポータルトップページ４２に設けられたリンクおよび／または検索手段を介して上記端末装置５に表示されうるように構成されている。
【００４２】
すなわち、この例では、ポータルトップページ４２に設けられたリンクおよび／または検索手段を介してポータルトップページ４２からショップ一覧ページ４３を表示しうるようになっている。また、ポータルトップページ４２に設けられたリンクおよび／または検索手段を介してポータルトップページ４２から商品一覧ページ４４を表示しうるようになっている。
【００４３】
上記ショップ一覧ページ４３は、当該ポータルサイトに登録されているショップ全てのショップ一覧を表示することもできるし、当該ポータルサイトに登録されているショップ全体から、所定の検索条件もしくはカテゴリ分類等により絞り込まれ抽出されたショップの一覧を表示することもできる。この場合、種々の抽出条件により絞り込まれたショップの一覧を表示するため、後述するように、上記ショップ一覧ページ４３は自動生成された動的ファイルをキャッシュする。
【００４４】
上記商品一覧ページ４４は、当該ポータルサイトに登録されているショップで扱う全ての商品一覧を表示することもできるし、全ショップの取扱商品全体から、所定の検索条件もしくはカテゴリ分類等により絞り込まれ抽出された商品の一覧を表示することもできる。この場合、種々の抽出条件により絞り込まれた商品の一覧を表示するため、後述するように、上記商品一覧ページ４４は自動生成された動的ファイルをキャッシュする。
【００４５】
そして、このシステムでは、ショップ用ウェブサーバ６における各ショップサイト格納部２０に格納された各ショップサイトと、ポータル用ウェブサーバ８に格納されたポータルサイトとの間にリンクが形成されている。
【００４６】
すなわち、各ショップサイト格納部２０に格納されたショップ詳細情報ページ４５および商品詳細情報ページ４６は、端末装置５に表示される当該ショップサイトにおけるショップホームページ４０に設けられたリンクおよび／または検索手段を介して端末装置５に表示されるように構成されるとともに、ポータル用ウェブサーバ８に格納されたポータルサイトのポータルトップページ４２に設けられたリンクおよび／または検索手段を介して上記端末装置５に表示されるように構成されている。
【００４７】
詳しく説明すると、上記ショップ詳細情報ページ４５は、ポータルトップページ４２に設けられたリンクおよび／または検索手段を介して上記端末装置５に表示されるショップ一覧ページ４３に設けられたリンクを介して上記端末装置５に表示されるように構成されている。上記ショップ一覧ページ４３には複数のショップの一覧が表示され、各ショップの表示は、上記各ショップに対応するショップサイト格納部２０に格納されたショップ詳細情報ページ４５にリンクされている。
【００４８】
また、上記商品詳細情報ページ４６は、ポータルトップページ４２に設けられたリンクおよび／または検索手段を介して上記端末装置５に表示される商品一覧ページ４４に設けられたリンクを介して上記端末装置５に表示されるように構成されている。上記商品一覧ページ４４には、複数の商品の一覧が表示されるが、これらの商品は複数のショップで扱うものを含んでおり、各商品の表示には当該商品を取り扱うショップの情報が含まれている。このように、上記商品一覧ページ４４に表示される商品の一覧は、複数のショップで取り扱う商品を含んでいるため、各商品の表示は、当該商品を取り扱っているショップのショップサイト格納部２０に格納された商品詳細情報ページ４６にリンクされている。
【００４９】
また、上記ショップ詳細情報ページ４５および商品詳細情報ページ４６は、ＨＴＭＬ文書等の静的ファイルから構成されるため、ウェブ上の検索エンジン４の巡回対象となり、ショップ詳細情報ページ４５および商品詳細情報ページ４６に用いられたキーワードを検索エンジンに入力して検索を実行することにより、当該ショップ詳細情報ページ４５および商品詳細情報ページ４６が検索エンジン４でヒットするようになっている。
【００５０】
図３は、ショップサーバシステム１を示す機能ブロック図である。
【００５１】
上記ショップ用ウェブサーバ６には、固有のネットワークアドレス（ＵＲＬ）が与えられている。ユーザは、それぞれの端末装置５でこのＵＲＬを指定することにより、ショップ用ウェブサーバ６へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力してショップ用ウェブサーバ６に対して送信し、意思決定情報をショップ用ウェブサーバ６に対して送信するようになっている。これらの詳細については後述する。
【００５２】
上記ショップ用ウェブサーバ６には、ショップに関する情報が記録されたショップマスタ１１と、ショップにおいて取り扱う商品に関する情報が記録された商品マスタ１０と、上記ショップマスタ１１および商品マスタ１０に記録された情報をデータベース検索するデータベース検索手段１５とを含むショップ用データベースサーバ７が付設されている。
【００５３】
上記ショップ用データベースサーバ７は、各種のデータが格納されたデータ格納部２３と、上記データ格納部２３に格納されたデータをデータベース検索して所定の情報を抽出等するデータベース検索手段１５とを備えている。
【００５４】
上記データ格納部２３は、当該ショップサーバシステム１においてウェブサイトを構築するショップに関する情報が記録されたショップマスタ１１と、各ショップにおいて取り扱う商品に関する情報が記録された商品マスタ１０と、当該ショップサーバシステム１に構築されたショップサイトで商品購入処理を行う顧客に関する情報が記録された顧客マスタ１２と、当該ショップサイトで商品購入処理が行われた取引に関する情報が記録されたトランザクションが格納されるトランザクション格納部１３とを備えている。
【００５５】
図４は、上記データベースサーバ４に格納された各テーブルの一例を示す。
【００５６】
上記商品マスタ１０には、商品を識別するための商品コード、品名、価格、商品を業種でカテゴリ分けする際の大分類である業種カテゴリ、商品を商品の種類でカテゴリ分けする際の小分類である商品分類、当該商品を取り扱うショップのショップコード等の商品に関する情報が記録されている。
【００５７】
上記ショップマスタ１１には、取引者としてのショップを識別するための利用者コードとしてショップコード、ＩＤ、パスワード等ログインの際の認証の際に照会される認証情報、ショップの名称（店名）、住所、電話番号、ＦＡＸ番号、メールアドレス、ショップを業種でカテゴリ分けする際の大分類である業種カテゴリ等のショップに関する情報が記録されている。
【００５８】
上記顧客マスタ１２には、取引者としての顧客を識別するための利用者コードとして顧客コード、ＩＤ、パスワード等ログインの際の認証の際に照会される認証情報が記録されている。また、上記顧客マスタ２１には、それ以外に、顧客の氏名、住所、電話番号、ＦＡＸ番号、メールアドレス等の顧客に関する情報が記録されている。
【００５９】
上記トランザクション格納部１３に格納されるトランザクション１４には、例えば、トランザクションデータとして、伝票Ｎｏ．、年月日、商品コード、数量、金額・・・等の商品取引に関するデータが記録されている。また、トランザクションデータとして、利用者コードとしての顧客コードとショップコードが記録されている。
【００６０】
そして、上記データベース検索手段１５は、上記商品マスタ１０、ショップマスタ１１、顧客マスタ１２、トランザクション１４にそれぞれ記録された情報をデータベース検索して所定の情報を抽出等する。
【００６１】
上記データ格納部２３は、ショップごとに独立して表領域が異なるよう複数設けられており、ショップごとに商品マスタ１０、ショップマスタ１１、顧客マスタ１２、トランザクション１４が設けられている。
【００６２】
上記データベース検索手段１５でデータベース検索された情報は、必要に応じてショップ用ウェブサーバ６に出力され、外部記憶装置等のテンプレート格納部１７に格納されたテンプレートとなるデータに対して、ショップ用データベースサーバ７から供給されたデータをはめ込んで、ウェブページ画面が生成される。
【００６３】
図３に戻って説明すると、上記ショップ用ウェブサーバ６は、上記ショップマスタ１１および／または商品マスタ１０をデータベース検索手段１５でデータベース検索することにより抽出された情報に基づいてコンテンツページであるウェブページを自動生成するウェブページ生成手段１６と、上記ウェブページを格納するショップサイト格納部２０とを備えている。
【００６４】
上記ショップ用ウェブサーバ６は、上記ウェブページ生成手段１６がウェブページを生成する際のテンプレートが格納されるテンプレート格納部１７を備え、上記ウェブページ生成手段１６は、テンプレート格納部１７に格納された所定のテンプレートファイルにデータベース検索手段１５で抽出されたデータを割り当てることにより自動的にウェブページを生成する。ここで、データベース検索手段１５でデータベース検索されるデータは、商品マスタ１０、ショップマスタ１１、顧客マスタ１２、トランザクション１４に記録されたデータであり、これらの情報が生成されるウェブページに掲載される。
【００６５】
上記ショップサイト格納部２０は、ＨＴＭＬファイル等の静的ファイルからなるウェブページを格納する静的ファイル格納部１８と、Ｊａｖａ（登録商標）やＡＳＰ（Active Server Pages）等による動的ファイルとして生成されたウェブページをキャッシュする動的ファイルキャッシュ部１９とを備えて構成されている。
【００６６】
また、上記静的ファイル格納部１８には、当該ショップホームページ４０をはじめ、あらかじめ設けられた既設ぺージと、上述したようにウェブページ生成手段１６で生成された新設ページとが格納される。これらの既設ページや新設ページは、ＨＴＭＬ等のデジタル文書記述言語により記述された文書や画像を含む静的ファイルから構成されている。
【００６７】
上記ウェブページ生成手段１６は、上記ショップマスタ１１をデータベース検索手段１５でデータベース検索することにより抽出された情報に基づいて、ショップの情報が掲載されたショップ詳細情報ページ４５を生成する。ここで生成されたショップ詳細情報ページ４５は、ＵＲＬの一部となるファイル名が付与されて静的ファイル格納部１８に格納される。
【００６８】
また、上記ウェブページ生成手段１６は、上記商品マスタ１０をデータベース検索手段１５でデータベース検索することにより抽出された情報に基づいて、上記コンテンツページとして各商品の情報が掲載された商品詳細情報ページ４６を静的ファイルとして自動生成する。ここで生成された商品詳細情報ページ４６は、ＵＲＬの一部となるファイル名が付与されて静的ファイル格納部１８に格納される。
【００６９】
上記ウェブページ生成手段１６は、上記商品マスタ１０をデータベース検索手段１５でデータベース検索することにより抽出された情報に基づいて、当該ショップにおける取扱い商品の一覧を示す取扱商品一覧ページ４７を動的ファイルとして自動生成する。上記取扱商品一覧ページ４７は、上記ショップ詳細情報ページ４５に設けられたリンクへの操作入力をトリガーとして生成される。あるいは、ショップショップホームページ４０におけるカテゴリ分類の選択や、検索手段による絞り込みをトリガーとして生成される。ここで生成された動的ファイルである取扱商品一覧ページ４７は、動的ファイルキャッシュ部１９にキャッシュされる。
【００７０】
上記ショップ用ウェブサーバ６は、上記静的ファイル格納部１８に格納されたＨＴＭＬファイル等の静的ファイル、動的ファイルキャッシュ部１９に格納された動的ファイルを各端末装置５のブラウザ等において表示可能に制御するとともに、各端末装置５に表示された画面で入力され送信されたデータを受け付ける受信制御等を行う表示制御手段２１を備えている。
【００７１】
上記ショップ用ウェブサーバ６は、上記ショップ用データベースサーバ７、静的ファイル格納部１８、動的ファイルキャッシュ部１９、表示制御手段２１等に対するデータ処理を始めとして、本発明の各種機能を実現する動作をつかさどるデータ処理手段２２を備えている。このデータ処理手段２２は、アクセスされた端末装置５に表示されたウェブページ上において、各種の操作・処理を可能とする。これらの動作の詳細は後述する。
【００７２】
図５は、ポータルサーバシステム３を示す機能ブロック図である。
【００７３】
上記ポータル用ウェブサーバ８には、固有のネットワークアドレス（ＵＲＬ）が与えられている。ユーザは、それぞれの端末装置５でこのＵＲＬを指定することにより、ポータル用ウェブサーバ８へアクセスすることができ、上記ＨＴＭＬ（HyperText Markup Language）等のデジタル文書記述言語により記述された文書や画像を含むデータをホームページによる閲覧をしうるようになっている。また、当該ホームページにおいて、必要に応じて文書・画像等のデータや選択入力操作を入力してポータル用ウェブサーバ８に対して送信し、意思決定情報をポータル用ウェブサーバ８に対して送信するようになっている。これらの詳細については後述する。
【００７４】
上記ポータル用ウェブサーバ８には、ショップデータが格納されたショップデータ格納部２６と、登録されたショップにおいて取り扱う商品に関するデータが格納された商品データ格納部２７と、上記ショップデータ格納部２６および商品データ格納部２７に記録されたデータをデータベース検索するデータベース検索手段２５とを含むポータル用データベースサーバ９が付設されている。上記ポータル用データベースサーバ９は、さらに、上記ショップデータ格納部２６および商品データ格納部２７に格納されたデータをデータベース検索して所定の情報を抽出等するデータベース検索手段２５を備えている。
【００７５】
上記ショップデータ格納部２６は、後述するウェブページ生成手段３２でショップ一覧ページ４３を生成するためのショップに関するデータが記録されている。上記ショップデータ格納部２６には、例えば、ショップコード、ショップの名称（店名）、ショップを業種でカテゴリ分けする際の大分類である業種カテゴリ等のショップに関する情報が記録される。
【００７６】
上記商品データ格納部２７は、後述するウェブページ生成手段３２で商品一覧ページ４４を生成するための商品に関するデータが記録されている。上記商品データ格納部２７には、例えば、商品コード、当該商品を取り扱うショップのショップコード、商品の名称、商品を業種でカテゴリ分けする際の大分類である業種カテゴリ、商品を商品の種類でカテゴリ分けする際の小分類である商品分類等の商品に関する情報が記録される。
【００７７】
上記ポータル用ウェブサーバ８は、上記ショップデータ格納部２６および／または商品データ格納部２７をデータベース検索手段２５でデータベース検索することにより抽出されたデータに基づいて上記ショップ一覧ページ４３および／または商品一覧ページ４４を動的ファイルとして自動生成してキャッシュするウェブページ生成手段３２と、上記ウェブページを格納するウェブページ格納部２９とを備えている。
【００７８】
上記ポータル用ウェブサーバ８は、上記ウェブページ生成手段３２がウェブページを生成する際のテンプレートが格納されるテンプレート格納部３３を備え、上記ウェブページ生成手段３２は、テンプレート格納部３３に格納された所定のテンプレートファイルにデータベース検索手段２５で抽出されたデータを割り当てることにより自動的にウェブページを生成する。ここで、データベース検索手段２５でデータベース検索されるデータは、ショップデータ格納部２６、商品データ格納部２７に格納されたデータであり、これらの情報が生成されるウェブページに掲載される。
【００７９】
上記ウェブページ格納部２９は、ＨＴＭＬファイル等の静的ファイルからなるウェブページを格納する静的ファイル格納部３１と、Ｊａｖａ（登録商標）やＡＳＰ（Active Server Pages）等による動的ファイルとして生成されたウェブページをキャッシュする動的ファイルキャッシュ部３０とを備えて構成されている。
【００８０】
また、上記静的ファイル格納部３１には、ポータルトップページ４２等のあらかじめ設けられた既設ぺージが格納される。この既設ページは、ＨＴＭＬ等のデジタル文書記述言語により記述された文書や画像を含む静的ファイルから構成されている。
【００８１】
上記ウェブページ生成手段３２は、さらに、上記ショップデータ格納部２６をデータベース検索手段２５で所定の検索条件でデータベース検索することにより抽出された情報に基づいて、抽出されたショップの一覧を表示するショップ一覧ページ４３を動的ファイルとして自動生成する。ここで生成された動的ファイルであるショップ一覧ページ４３は、動的ファイルキャッシュ部３０にキャッシュされる。
【００８２】
上記ウェブページ生成手段３２は、さらに、上記商品データ格納部２７をデータベース検索手段２５で所定の検索条件でデータベース検索することにより抽出された情報に基づいて、抽出された商品の一覧を表示する商品一覧ページ４４を動的ファイルとして自動生成する。ここで生成された動的ファイルである商品一覧ページ４４は、動的ファイルキャッシュ部３０にキャッシュされる。
【００８３】
上記ポータル用ウェブサーバ８は、上記静的ファイル格納部３１に格納されたＨＴＭＬファイル等の静的ファイル、動的ファイルキャッシュ部３０に格納された動的ファイルを各端末装置５のブラウザ等において表示可能に制御するとともに、各端末装置５に表示された画面で入力され送信されたデータを受け付ける受信制御等を行う表示制御手段２８を備えている。
【００８４】
このシステムでは、ショップ用ウェブサーバ６に各ショップサイトが格納されるとともに、上記ポータル用ウェブサーバ８は、上記ショップ用ウェブサーバ６にショップサイトを有するショップが登録するポータルサイトが格納されている。
【００８５】
上記ポータル用ウェブサーバ８に格納されたポータルサイトは、ポータルトップページ４２と、上記ポータルトップページ４２に設けられたリンクおよび／または検索手段を介して端末装置５に表示される動的ファイルとして生成されたショップ一覧ページ４３および商品一覧ページ４４とを備えている。
【００８６】
一方、ショップ用ウェブサーバ６のショップサイト格納部２０に格納されたショップサイトは、静的ファイルとして格納されたショップ詳細情報ページ４５および商品詳細情報ページ４６を備えている。
【００８７】
そして、ポータルサイトの上記ショップ一覧ページ４３のショップ一覧の各表示に対して、ショップサイトのショップ詳細情報ページ４５がリンクされて端末装置５に表示されるようになっている。上記ショップ詳細情報ページ４５は、ショップサイトの一部であり、上述したように、ショップショップホームページ４０に設けられたリンクおよび／または検索手段を介して端末装置５に表示される。
【００８８】
また、ポータルサイトの上記商品一覧ページ４４の商品一覧の各表示に対して、ショップサイトの商品詳細情報ページ４６がリンクされて端末装置５に表示されるようになっている。上記商品詳細情報ページ４６は、ショップサイトの一部であり、上述したように、ショップショップホームページ４０および取扱商品一覧ページ４７に設けられたリンクおよび／または検索手段を介して端末装置５に表示される。
【００８９】
つぎに、上記ショップ一覧ページ４３に対してショップ詳細情報ページ４５のリンクを形成する構成および、上記商品一覧ページ４４に対して商品詳細情報ページ４６のリンクを形成する構成について説明する。
【００９０】
まず、ショップ詳細情報ページ４５は、ショップマスタ１１に記録されたデータをデータベース検索手段１５で検索し、当該データに基づいてＨＴＭＬ等の静的ファイルを生成して所定のファイル名を付けて静的ファイル格納部１８に格納する。このときのファイル名として、たとえば、当該ショップのショップコードを付与することが行われる。このとき、このショップ詳細情報ページ４５のＷＷＷ上のＵＲＬは、ショップサイトのＵＲＬに、上記ファイル名が付加されたものとなる。
【００９１】
例えば、ショップサイトのＵＲＬが「http://www.shop1.co.jp」で、当該ショップサイトで生成されたショップ詳細情報ページ４５の静的ファイルのファイル名（すなわちショップコード）が「s0001」であった場合、このショップサイトにおけるショップ詳細情報ページ４５のＵＲＬは「http://www.shop1.co.jp/s0001.html」となる。
【００９２】
つぎに、ショップ一覧ページ４３は、ショップデータ格納部２６に格納されたショップデータをデータベース検索手段２５で検索し、当該データに基づいて検索抽出結果の動的ファイルを生成して動的ファイルキャッシュ部３０にキャッシュする。このとき、データベース検索手段２５からショップコードを読み出して、ショップサイトのＵＲＬと組み合わせてショップ詳細情報ページ４５のＵＲＬを生成し、検索抽出結果のショップ一覧ページ４３における各ショップの表示に対してリンクを設けておくのである。
【００９３】
例えば、上述した例で、ショップサイトのＵＲＬが「http://www.shop1.co.jp」で、ショップコードが「s0001」であった場合、このショップサイトにおけるショップ詳細情報ページ４５のＵＲＬとして「http://www.shop1.co.jp/s0001.html」を生成し、検索抽出結果のショップ一覧ページ４３における各ショップの表示に対してリンクさせることが行われる。
【００９４】
このようにすることにより、端末装置５においてポータルサイトのショップ一覧ページ４３に表示されたショップの表示をクリックすることにより、ショップサイトのショップ詳細情報ページ４５が端末装置５に表示されるのである。
【００９５】
つぎに、商品一覧ページ４４は、商品マスタ１０に記録されたデータをデータベース検索手段１５で検索し、当該データに基づいてＨＴＭＬ等の静的ファイルを生成して所定のファイル名を付けて静的ファイル格納部１８に格納する。このときのファイル名として、たとえば、当該ショップのショップコードと商品の商品コードの組み合わせを付与することが行われる。このとき、このショップ詳細情報ページ４５のＷＷＷ上のＵＲＬは、ショップサイトのＵＲＬに、上記ファイル名が付加されたものとなる。
【００９６】
例えば、ショップコードが「s0001」商品コードが「g0001」であった場合、当該ショップサイトで生成された商品詳細情報ページ４６の静的ファイルのファイル名（すなわちショップコード＋商品コード）は「s0001g0001」とされる。そして、ショップサイトのＵＲＬが「http://www.shop1.co.jp」であれば、このショップサイトにおけるショップ詳細情報ページ４５のＵＲＬは「http://www.shop1.co.jp/s0001g0001.html」となる。
【００９７】
つぎに、商品一覧ページ４４は、商品データ格納部２７に格納された商品データをデータベース検索手段２５で検索し、当該データに基づいて検索抽出結果の動的ファイルを生成して動的ファイルキャッシュ部３０にキャッシュする。このとき、データベース検索手段２５からショップコードおよび商品コードを読み出して、ショップサイトのＵＲＬと組み合わせて商品詳細情報ページ４６のＵＲＬを生成し、検索抽出結果の商品一覧ページ４４における各商品の表示に対してリンクを設けておくのである。
【００９８】
例えば、上述した例で、ショップサイトのＵＲＬが「http://www.shop1.co.jp」で、ショップコードが「s0001」、商品コードが「g0001」であった場合、このショップサイトにおけるショップ詳細情報ページ４５のＵＲＬとして「http://www.shop1.co.jp/s0001g0001.html」を生成し、検索抽出結果の商品一覧ページ４４における各商品の表示に対してリンクさせることが行われる。
【００９９】
このようにすることにより、端末装置５においてポータルサイトの商品一覧ページ４４に表示された商品の表示をクリックすることにより、ショップサイトの商品詳細情報ページ４６が端末装置５に表示されるのである。
【０１００】
ショップサイトにおいて、ショップ毎の取扱商品一覧ページ４７を動的ファイルとして生成し、商品詳細情報ページ４６にリンクさせる場合も同様に、商品コードをファイル名として付与し、商品コードを付加したＵＲＬを生成してリンクを設けることが行われる。
【０１０１】
さらに、ショップサイトにおいて、ショップホームページ４０からショップ詳細情報ページ４５へのリンクを形成したり、ショップホームページ４０から商品詳細情報ページ４６へのリンクを形成する場合も同様に、商品コードをファイル名として付与し、商品コードを付加したＵＲＬを生成してリンクを設けることが行われる。
【０１０２】
上記ショップ詳細情報ページ４５および商品詳細情報ページ４６は、それぞれＨＴＭＬ文書等からなる静的ファイルであることから、検索エンジン４での検索対象として登録される。例えば、ロボット型の検索エンジン４では、インターネット２経由で閲覧可能な状態に公開されたウェブページを定期的に自動巡回して検索対象として登録し、所望のキーワードを入力して検索することにより登録したウェブページを抽出し、検索キーワードとの関連性が高いウェブページから所定の順位で端末装置５のブラウザに表示することが行われる。このようにして、上記ショップ詳細情報ページ４５および商品詳細情報ページ４６が検索エンジン４での検索対象として登録されるのである。なお、検索エンジン４への登録は手動による登録が行われる場合もある。
【０１０３】
また、ポータルサイトのショップ一覧ページ４３と商品一覧ページ４４、ショップサイトの取扱商品一覧ページ４７、購入処理ページ４８は、データベース検索による抽出条件その他の条件により、表示する内容がそのつど変わりうるものであるため、静的ファイルとして格納するのではなく、上述したように、そのつど動的ファイルとして生成し、動的ファイルキャッシュ部３０にキャッシュされる。
【０１０４】
端末装置５を操作する顧客が当該ポータルサイトに登録されたウェブショップで商品を購入するときは、つぎの１〜４の方法により商品詳細情報にアクセスして購入処理を行うことができる。
【０１０５】
第１の方法は、当該ショップ自身のショップショップホームページ４０から、ショップ詳細情報ページ４５に進み、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する方法である。
【０１０６】
第２の方法は、ポータルサイトのポータルトップページ４２からショップ一覧ページ４３を表示し、さらにショップ詳細情報ページ４５に進み、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する方法である。
【０１０７】
第３の方法は、ポータルサイトのポータルトップページ４２から商品一覧ページ４４を表示し、さらに商品詳細情報ページ４６に進み、購入の意思があれば商品詳細情報ページ４６から購入処理ページ４８に進んで購入処理を実行する方法である。
【０１０８】
第４の方法は、検索エンジン４において購入希望の商品に関する所望の検索キーワードや、利用したいショップに関する所望の検索キーワードを入力して検索することにより、検索エンジン４での検索対象として登録されたショップ詳細情報ページ４５を検索により抽出し、検索エンジン４に表示されたリンクからショップ詳細情報ページ４５を表示させ、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する方法である。
【０１０９】
同様に、検索エンジン４において購入希望の商品に関する所望の検索キーワードや、利用したいショップに関する所望の検索キーワードを入力して検索することにより、検索エンジン４での検索対象として登録された商品詳細情報ページ４６を検索により抽出し、検索エンジン４に表示されたリンクから商品詳細情報ページ４６を表示させ、購入の意思があれば商品詳細情報ページ４６から購入処理ページ４８に進んで購入処理を実行する方法である。
【０１１０】
図６および図７は、本発明のシステムにおいて、各ウェブページを順次表示して商品の購入を行う購入処理ページ４８に至る過程を図示したものである。
【０１１１】
図６はその第１例であり、上述した第１の方法〜第４の方法をそれぞれ説明する。
【０１１２】
（第１の方法）
まず、商品購入者は、インターネット２に接続された端末装置５で所定のＵＲＬを指定してショップ用ウェブサーバ６に接続し、ショップショップホームページ４０を端末装置５に表示させる。上記ショップショップホームページ４０は、上記ポータルサイトに登録しているショップ独自のホームページである。上記ショップショップホームページ４０には、ショップ詳細情報ページ４５に対するリンクが設けられており、上記リンクをクリックすることにより、ショップ詳細情報ページ４５が端末装置５に表示される。
【０１１３】
このショップ詳細情報ページ４５には、当該ショップで取り扱う商品の商品分類の一覧が表示されている。上記ショップ詳細情報ページ４５に表示された各商品分類は、当該ショップで取り扱う当該商品分類の商品の一覧を表示する取扱商品一覧ページ４７へのリンクに構成されている。このリンクのクリックをトリガーとして、上記商品マスタ１０をデータベース検索手段１５でデータベース検索することにより、当該ショップで取り扱う当該商品分類の商品を抽出し、抽出された情報に基づいて取扱商品一覧ページ４７を動的ファイルとして自動生成してキャッシュし、端末装置５に表示する。
【０１１４】
上記取扱商品一覧ページ４７には、当該ショップにおける当該商品分類の取扱商品の一覧が表示されている。各商品の表示には、それぞれの商品の商品詳細情報ページ４６を構成する静的ファイルへのリンクが設けられている。したがって、上記取扱商品一覧ページ４７に一覧表示された商品表示のいずれかをクリックすると、当該商品の商品詳細情報ページ４６が端末装置５に表示される。
【０１１５】
上記商品詳細情報ページ４６には、当該商品の詳細情報が表示されるとともに、購入処理ページ４８へのリンクが設けられており、上記リンクをクリックすることにより、購入処理ページ４８が端末装置５に表示されて購入処理を実行可能となる。
【０１１６】
（第２の方法）
まず、商品購入者は、インターネット２に接続された端末装置５で所定のＵＲＬを指定してポータル用ウェブサーバ８に接続すると、まず、ポータルトップページ４２が端末装置５に表示される。上記ポータルトップページ４２には、当該ポータルサイトに登録しているショップを検索するショップ検索部が設けられ、入力ボックスに所望のキーワードを入力して検索ボタンをクリックすることにより、データベース検索で抽出されたショップの一覧を表示するショップ一覧ページ４３が表示される。
【０１１７】
このとき、上記キーワードとしては、例えば、店名や業種カテゴリ、取扱商品分類、商品名等が入力され、検索ボタンのクリックにより入力されたキーワードがポータル用ウェブサーバ８からポータル用データベースサーバ９に送信され、データベース検索手段２５によりショップデータ格納部２６が検索される。ここで抽出されたショップのデータに基づいて、ウェブページ生成手段３２により、ショップ一覧ページ４３が動的ファイルとして生成されてキャッシュされる。
【０１１８】
ついで、このショップ一覧ページ４３には、ショップ名の一覧が表示されており、各ショップ名の表示には、それぞれのショップのショップ詳細情報ページ４５を構成する静的ファイルへのリンクが設けられている。したがって、上記ショップ一覧ページ４３に一覧表示されたショップ名のいずれかをクリックすると、当該ショップサイトにおけるショップ詳細情報ページ４５が端末装置５に表示される。
【０１１９】
このショップ詳細情報ページ４５には、当該ショップで取り扱う商品の商品分類の一覧が表示されている。この例では、パソコンショップの例を示しており、商品分類として「デスクトップ」「ノート」等の分類が表示されたものを例示している。上記ショップ詳細情報ページ４５に表示された各商品分類は、当該ショップで取り扱う当該商品分類の商品の一覧を表示する取扱商品一覧ページ４７へのリンクに構成されている。このリンクのクリックをトリガーとして、上記商品マスタ１０をデータベース検索手段１５でデータベース検索することにより、当該ショップで取り扱う当該商品分類の商品を抽出し、抽出された情報に基づいて取扱商品一覧ページ４７を動的ファイルとして自動生成してキャッシュし、端末装置５に表示する。
【０１２０】
上記取扱商品一覧ページ４７には、当該ショップにおける当該商品分類の取扱商品の一覧が表示されている。各商品の表示には、それぞれの商品の商品詳細情報ページ４６を構成する静的ファイルへのリンクが設けられている。したがって、上記取扱商品一覧ページ４７に一覧表示された商品表示のいずれかをクリックすると、当該商品の商品詳細情報ページ４６が端末装置５に表示される。
【０１２１】
上記商品詳細情報ページ４６には、当該商品の詳細情報が表示されるとともに、購入処理ページ４８へのリンクが設けられており、上記リンクをクリックすることにより、購入処理ページ４８が端末装置５に表示されて購入処理を実行可能となる。
【０１２２】
（第３の方法）
まず、上記同様に端末装置５にポータルトップページ４２を表示する。上記ポータルトップページ４２には、当該ポータルサイトに登録している多数のショップが取り扱う商品を検索する商品検索部が設けられ、入力ボックスに所望のキーワードを入力して検索ボタンをクリックすることにより、データベース検索で抽出された商品の一覧を表示する商品一覧ページ４４が表示される。
【０１２３】
このとき、上記キーワードとしては、例えば、業種カテゴリ、取扱商品分類、商品名、店名等が入力され、検索ボタンのクリックにより入力されたキーワードがポータル用ウェブサーバ８からポータル用データベースサーバ９に送信され、データベース検索手段２５により商品データ格納部２７が検索される。ここで抽出された商品のデータに基づいて、ウェブページ生成手段３２により、商品一覧ページ４４が動的ファイルとして生成されてキャッシュされる。
【０１２４】
ついで、この商品一覧ページ４４には、商品名の一覧が表示されており、各商品名の表示には、当該商品を扱っているショップサイトにおける当該商品の商品詳細情報ページ４６を構成する静的ファイルへのリンクが設けられている。したがって、上記商品一覧ページ４４に一覧表示された商品名のいずれかをクリックすると、当該商品の商品詳細情報ページ４６が端末装置５に表示される。
【０１２５】
上記商品詳細情報ページ４６には、当該商品の詳細情報が表示されるとともに、購入処理ページ４８へのリンクが設けられており、上記リンクをクリックすることにより、購入処理ページ４８が端末装置５に表示されて購入処理を実行可能となる。
【０１２６】
（第４の方法）
まず、商品購入者は、インターネット２に接続された端末装置５で所定のＵＲＬを指定し、検索エンジン４に接続し、検索画面を端末装置５に表示させる。検索エンジン４において購入希望の商品に関する所望の検索キーワードや、利用したいショップに関する所望の検索キーワードを入力して検索することにより、検索エンジン４での検索対象として登録されたショップ詳細情報ページ４５を検索により抽出し、検索エンジン４に表示されたリンクからショップサイトのショップ詳細情報ページ４５を表示させる。ショップ詳細情報ページ４５を端末装置５に表示させたあとは、上述した第１および第２の方法と同様であり、当該ショップでの取扱商品一覧ページ４７に進み、そこから商品詳細情報ページ４６を表示させ、購入の意思があれば商品詳細情報ページ４６から購入処理ページ４８に進んで購入処理を実行する。
【０１２７】
また、検索エンジン４において購入希望の商品に関する所望の検索キーワードや、利用したいショップに関する所望の検索キーワードを入力して検索することにより、検索エンジン４での検索対象として登録された商品詳細情報ページ４６を検索により抽出し、検索エンジン４に表示されたリンクからショップサイトの商品詳細情報ページ４６を表示させる。商品詳細情報ページ４６を端末装置５に表示させたあとは、上述した第１および第２の方法と同様であり、購入の意思があれば商品詳細情報ページ４６から購入処理ページ４８に進んで購入処理を実行する。
【０１２８】
このように、ポータルサイトに登録しているショップのショップ詳細情報ページ４５や、商品詳細情報ページ４６へのアクセスが、ショップショップホームページ４０を経由したアクセスに加えて、ポータルトップページ４２を経由したアクセス、検索エンジン４経由でのアクセスと３通りのアクセス経路を有することとなり、効率的な集客を行うことができる。
【０１２９】
図７は第２例である。基本的には図６に示した第１例と同様であるが、第２の方法と第３の方法において、若干の違いがあるので、その点について以下説明する。
【０１３０】
（第２の方法）
上記ポータルトップページ４２には、当該ポータルサイトに登録しているショップの一覧を表示するためのリンクが設けられ、「ショップ一覧へ」のリンクをクリックすることにより、業種カテゴリ一覧ページ４９が端末装置５に表示される。
【０１３１】
業種カテゴリ一覧ページ４９は、業種のカテゴリすなわち大分類であり、この例では「スポーツ」「ダイエット」「健康」・・・等が表示されたものを例示している。上記業種カテゴリ一覧ページ４９の業種カテゴリの表示は、当該業種カテゴリに属するショップの一覧を表示するショップ一覧ページ４３へのリンクに構成されている。このリンクのクリックをトリガーとして、上記ショップデータ格納部２６をデータベース検索手段２５でデータベース検索することにより、当該業種カテゴリに属するショップを抽出し、抽出された情報に基づいてショップ一覧ページ４３を動的ファイルとして自動生成してキャッシュし、端末装置５に表示する。
【０１３２】
上記ショップ一覧ページ４３は、第１例に示したものと同様であり、以下の動作は第１例と同様であり、ショップ一覧ページ４３からショップ詳細情報ページ４５に進み、さらに当該ショップでの取扱商品一覧ページ４７に進み、そこから商品詳細情報ページ４６を表示させ、購入の意思があれば商品詳細情報ページ４６から購入処理ページ４８に進んで購入処理を実行する。
【０１３３】
（第３の方法）
上記ポータルトップページ４２には、当該ポータルサイトに登録しているショップが取り扱う商品を絞り込むための「業種カテゴリ一覧」が表示されている。上記「業種カテゴリ一覧」は、業種のカテゴリすなわち大分類であり、この例では「スポーツ」「ダイエット」「健康」・・・等が表示されたものを例示している。上記「業種カテゴリ一覧」の業種カテゴリの表示は、商品分類一覧ページ５０へのリンクに構成されている。
【０１３４】
上記商品分類一覧ページ５０には、上記業種カテゴリに属する商品の商品分類の一覧が表示されている。この商品分類一覧ページ５０は、業種のカテゴリすなわち大分類であり、この例では業種カテゴリのパソコンに属する商品の分類であり、「デスクトップ」「ノート」・・・等が表示されたものを例示している。上記商品分類一覧ページ５０の商品分類の表示は、分類別商品一覧ページ４４へのリンクに構成されている。
【０１３５】
上記商品分類一覧ページ５０の商品分類の表示は、当該商品分類に属する商品の一覧を表示する分類別商品一覧ページ４４へのリンクに構成されている。このリンクのクリックをトリガーとして、上記商品データ格納部２７をデータベース検索手段２５でデータベース検索することにより、当該業種カテゴリに属する商品を抽出し、抽出された情報に基づいて分類別商品一覧ページ４４を動的ファイルとして自動生成してキャッシュし、端末装置５に表示する。
【０１３６】
上記分類別商品一覧ページ４４は、第１例に示したものと同様であり、以下の動作は第１例と同様であり、分類別商品一覧ページ４４から商品詳細情報ページ４６に進み、購入の意思があれば商品詳細情報ページ４６から購入処理ページ４８に進んで購入処理を実行することを行うことができる。
【０１３７】
第１および第４の方法は、図６に示した第１例と同様である。
【０１３８】
以上のように、本発明によれば、ショップ詳細情報ページおよび商品詳細情報ページは、静的ファイルとしてショップサイト格納部に格納されるため、ウェブ上の検索エンジンによる検索対象となって、検索エンジンでヒットする確立が高くなって、端末装置からの閲覧機会を大幅に増加して集客効率が向上できる。また、上記ショップ詳細情報ページおよび商品詳細情報ページは、端末装置に表示される当該ショップサイトにおけるホームページに設けられたリンクおよび／または検索手段を介して端末装置に表示されるように構成するとともに、上記ポータルサイトのポータルトップページに設けられたリンクおよび／または検索手段を介して上記端末装置に表示されることから、ショップとしては、自身のホームページからの集客に加えて、ポータルサイトからの集客数増加が見込めるうえ、検索エンジンでのヒット率が向上することによる集客数の向上も見込め、大幅な集客数の向上を図ることができる。また、上記ショップ用ウェブサーバには、１つのショップサイトを格納するショップサイト格納部がショップごとに複数設けられ、それらのショップをポータルサイトのポータルトップページにリンクおよび／または検索手段を介して繋げることから、ポータルサイト自体のマス効果を向上させて集客効果を期待できる。
【０１３９】
本発明において、上記ポータル用ウェブサーバは、上記ショップ用ウェブサーバにショップサイトが格納されたショップのうち当該ポータルサイトに登録したショップのショップ一覧情報が掲載されるショップ一覧ページと、当該ポータルサイトに登録したショップが取り扱う商品の一覧情報が掲載される商品一覧ページとが格納され、
上記ショップ一覧ページおよび商品一覧ページは、上記ポータルサイトのポータルトップページに設けられたリンクおよび／または検索手段を介して上記端末装置に表示されるように構成され、
上記ショップ詳細情報ページは、上記ショップ一覧ページに設けられたリンクを介して上記端末装置に表示されるように構成され、上記商品詳細情報ページは、上記商品一覧ページに設けられたリンクを介して上記端末装置に表示されるように構成されている場合には、
ショップ詳細情報ページは、ポータルトップページからショップ一覧ページを介して端末装置に表示され、商品詳細情報ページは、ポータルトップページから商品一覧ページを介して端末装置に表示され、ポータルトップページからスムーズにショップ詳細情報ページや商品詳細情報ページに誘導し、各ショップではポータルサイトからの集客数増加が見込め、大幅な集客数の向上を図ることができる。
【０１４０】
本発明において、上記ポータル用ウェブサーバには、ショップデータが格納されたショップデータ格納部と、登録されたショップにおいて取り扱う商品に関するデータが格納された商品データ格納部と、上記ショップデータ格納部および商品データ格納部に記録されたデータをデータベース検索するデータベース検索手段とを含むポータル用データベースサーバが付設され、
上記ポータル用ウェブサーバは、上記ショップデータ格納部および／または商品データ格納部をデータベース検索手段でデータベース検索することにより抽出されたデータに基づいて上記ショップ一覧ページおよび／または商品一覧ページを動的ファイルとして自動生成してキャッシュするウェブページ生成手段を備えている場合には、
ポータルサイトに登録するショップが増加したとしても、ショップデータ格納部のデータを追加するだけでショップ一覧ページが自動生成されるため、そのつど煩雑なウェブページ作成作業を行わなくても、ごく軽微な作業だけでショップ一覧ページをつくることができる。
また、各ショップで取り扱う商品数が増加したとしても、商品データ格納部のデータを追加するだけで商品一覧ページが自動生成されるため、そのつど煩雑なウェブページ作成作業を行わなくても、ごく軽微な作業だけで商品詳細情報ページをつくることができる。
しかも、上記商品一覧やショップ一覧は、商品やショップの抽出条件その他の条件によって必ずしも一覧表示すべき内容が一定しないため、静的ファイルとして格納せずに動的ファイルとしてキャッシュし、システムのファイル格納領域を節約することができる。
【０１４１】
本発明において、ショップ用ウェブサーバには、ショップに関する情報が記録されたショップマスタと、ショップにおいて取り扱う商品に関する情報が記録された商品マスタと、上記ショップマスタおよび商品マスタに記録された情報をデータベース検索するデータベース検索手段とを含むショップ用データベースサーバが付設され、
上記ショップ用ウェブサーバは、上記ショップマスタおよび／または商品マスタをデータベース検索手段でデータベース検索することにより抽出された情報に基づいて上記ショップ詳細情報ページおよび／または商品詳細情報ページを静的ファイルとして自動生成し、ＵＲＬとなるファイル名を付与してショップサイト格納部に格納するウェブページ生成手段を備えている場合には、
ショップで取り扱う商品数が増加したとしても、商品マスタのデータを追加するだけで商品詳細情報ページが自動生成されるため、そのつど煩雑なウェブページ作成作業を行わなくても、ごく軽微な作業だけで商品詳細情報ページをつくることができる。
また、ショップの情報に変更があったとしても、ショップマスタのデータを更新するだけでショップ詳細情報ページが自動生成されるため、そのつど煩雑なウェブページ作成作業を行わなくても、ごく軽微な作業だけでショップ詳細情報ページをつくることができる。
【０１４２】
本発明において、上記ウェブページ生成手段は、さらに、上記ショップ詳細情報ページに設けられたリンクへの操作入力をトリガーとして、上記商品マスタをデータベース検索手段でデータベース検索することにより抽出された情報に基づいて、当該ショップにおける取扱い商品の一覧を示す取扱い商品一覧ページを動的ファイルとして自動生成してキャッシュし、
上記取扱い商品一覧ページは、上記商品詳細情報ページに対するリンクが設けられるとともに、ショップ詳細情報ページに設けられたリンクを介して端末装置に表示されるように構成されている場合には、
上述したように静的ファイルとしてショップサイト格納部に格納されたショップ詳細情報ページと商品詳細情報ページとを、動的ファイルである取扱い商品一覧ページを介してつなげることにより、端末装置を操作する購入者は、ショップ詳細の情報から購入を希望する商品の情報にたどりつくことができる。このようにすることにより、検索エンジン等からショップ詳細情報ページに入ってきた購入者は、当該ショップ詳細情報から容易に商品の情報を入手して購入処理まで行うことができる。
さらに、上記ショップ別の取扱い商品の一覧は、商品の抽出条件その他の条件によって必ずしも一覧表示すべき商品数等が一定しないため、静的ファイルとして格納せずに動的ファイルとしてキャッシュし、システムのファイル格納領域を節約することができる。取り扱い商品の変更や追加があったとしても、商品マスタのデータを追加するだけで、そのつど生成される動的ファイルとしての取扱い商品一覧ページが自動生成されるため、そのつど煩雑なウェブページ作成作業を行わなくても済む。
【図面の簡単な説明】
【０１４３】
【図１】本発明の電子商取引システムを含むネットワーク構成を示す図である。
【図２】ウェブサイトの構成の一例を示す図である。
【図３】ショップサーバシステムの構成を示す機能ブロック図である。
【図４】データ格納部に格納されたテーブルを示す図である。
【図５】ポータルサーバシステムの構成を示す機能ブロック図である。
【図６】本発明の動作の第１例を示す図である。
【図７】本発明の動作の第２例を示す図である。
【符号の説明】
【０１４４】
１      ショップサーバシステム
２      インターネット
３      ポータルサーバシステム
４      検索エンジン
５      端末装置
６      ショップ用ウェブサーバ
７      ショップ用データベースサーバ
８      ポータル用ウェブサーバ
９      ポータル用データベースサーバ
１０      商品マスタ
１１      ショップマスタ
１２      顧客マスタ
１３      トランザクション格納部
１４      トランザクション
１５      データベース検索手段
１６      ウェブページ生成手段
１７      テンプレート格納部
１８      静的ファイル格納部
１９      動的ファイルキャッシュ部
２０      ショップサイト格納部
２１      表示制御手段
２２      データ処理手段
２３      データ格納部
２５      データベース検索手段
２６      ショップデータ格納部
２７      商品データ格納部
２８      表示制御手段
２９      ウェブページ格納部
３０      動的ファイルキャッシュ部
３１      静的ファイル格納部
３２      ウェブページ生成手段
３３      テンプレート格納部
４０      ショップホームページ
４２      ポータルトップページ
４３      ショップ一覧ページ
４４      商品一覧ページ
４５      ショップ詳細情報ページ
４６      商品詳細情報ページ
４７      取扱商品一覧ページ
４８      購入処理ページ
４９      業種カテゴリ一覧ページ
５０      商品分類一覧ページ
【図１】
2007102521.tif 000003
【図２】
2007102521.tif 000004
【図３】
2007102521.tif 000005
【図４】
2007102521.tif 000006
【図５】
2007102521.tif 000007
【図６】
2007102521.tif 000008
【図７】
2007102521.tif 000009